(57)【要約】【課題】水を全く使用しなく、かつ洗浄液を消費することなしに便器の洗浄が行える。【解決手段】小便器１０の排便穴に連通して下方に伸びた液下方貯留部２１と、液下方貯留部２１より上方に伸びた液傾斜貯留部２２とを形成した液貯留管２０と、液貯留管２０より下方に伸びた排出管３０とを有し、小便器１０の排便穴１１の上端部１２のレベルから液傾斜貯留部２２の内部の上端部２４のレベルまでを非水性洗浄液貯留部４１とし、液貯留管２０に水を貯留し、非水性洗浄液貯留部４１に用便及び水より比重が軽くて揮発性の低い油等よりなる非水性洗浄液４０を貯留させ、非水性洗浄液貯留部４１から非水性洗浄液４０を小便器１０に供給するように液供給パイプ５０を配設し、液供給パイプ５０の途中にポンプ５１を設けた。【選択図】      図１
2005282006.tif 000002
【特許請求の範囲】
【請求項１】
便器を使用中は水より比重が軽くて揮発性の低い油等よりなる非水性洗浄液を便器内に流し、便が便器に不着するのを防ぎ、前記非水性洗浄液を便器の下方に設けた非水性洗浄液貯留部に溜め、この非水性洗浄液貯留部の非水性洗浄液をポンプで便器に供給して循環せしめ、非水性洗浄液を何度でも繰り返し使用可能とし、便器の洗浄に水を全く使用しないで水洗便器の機能を持ったことを特徴とする便器洗浄方法。
【請求項２】
便器の排便穴に連通して下方に伸びた液下方貯留部と、この液下方貯留部より上方に伸びた液傾斜貯留部とを形成した液貯留管と、この液貯留管より下方に伸びた排出管とを有し、前記便器の排便穴の上端部のレベルから前記液傾斜貯留部の内部の上端部のレベルまでを非水性洗浄液貯留部とし、前記液貯留管に水を貯留し、前記非水性洗浄液貯留部に用便及び水より比重が軽くて揮発性の低い油等よりなる非水性洗浄液を貯留させ、前記非水性洗浄液貯留部から非水性洗浄液を便器に供給するように液供給パイプを配設し、その液供給パイプの途中にポンプを設け、常に非水性洗浄液を流出させず回収再利用し、水を全く使用しないで水洗便器の機能を持ったことを特徴とする便器装置。
【請求項３】
前記便器が大便器である場合には、前記液傾斜貯留部には、下端部より上端部に大便を移送する大便移送手段が設けられていることを特徴とする請求項２記載の便器装置。
【請求項４】
前記非水性洗浄液には、溶液の臭いを防ぐ芳香剤及び汚れをカモフラージュするための着色剤が混入されていることを特徴とする請求項２記載の便器装置。
【請求項５】
用便する人を検知して前記ポンプを作動させるセンサーを設けたことを特徴とする請求項２記載の便器装置。
【発明の詳細な説明】
【技術分野】
【０００１】
本発明は、便器洗浄方法及び便器装置に係り、特に便器の洗浄のために水を使用しない便器洗浄方法及び便器装置に関する。
【背景技術】
【０００２】
便器は、一般的に水洗式となっており、水の無駄使いを防止するために種々の配慮がなされている。例えば特許文献１が挙げられる。
【特許文献１】特開平１１−３６４０６号公報
【発明の開示】
【発明が解決しようとする課題】
【０００３】
本発明の課題は、水を全く使用しなく、かつ洗浄液を消費することなしに便器の洗浄が行える便器洗浄方法及び便器装置を提供することにある。
【０００４】
即ち、トイレで水の使用の無駄を無くし、水不足の場合又は水不足の地域でもトイレの使用制限を解消することができる。更に日常的に水資源を節約でき、その水資源の製造に係わる費用の節約及び水使用のコストを大幅に削減できる。また建築物を建設するに当り、トイレへの上水施設工事を削減できるので、多大なる建設費の削減も可能となる。
【課題を解決するための手段】
【０００５】
上記課題を解決するための本発明の請求項１は、便器を使用中は水より比重が軽くて揮発性の低い油等よりなる非水性洗浄液を便器内に流し、便が便器に不着するのを防ぎ、前記非水性洗浄液を便器の下方に設けた非水性洗浄液貯留部に溜め、この非水性洗浄液貯留部の非水性洗浄液をポンプで便器に供給して循環せしめ、非水性洗浄液を何度でも繰り返し使用可能とし、便器の洗浄に水を全く使用しないで水洗便器の機能を持ったことを特徴とする。
【０００６】
上記課題を解決するための本発明の請求項２は、便器の排便穴に連通して下方に伸びた液下方貯留部と、この液下方貯留部より上方に伸びた液傾斜貯留部とを形成した液貯留管と、この液貯留管より下方に伸びた排出管とを有し、前記便器の排便穴の上端部のレベルから前記液傾斜貯留部の内部の上端部のレベルまでを非水性洗浄液貯留部とし、前記液貯留管に水を貯留し、前記非水性洗浄液貯留部に用便及び水より比重が軽くて揮発性の低い油等よりなる非水性洗浄液を貯留させ、前記非水性洗浄液貯留部から非水性洗浄液を便器に供給するように液供給パイプを配設し、その液供給パイプの途中にポンプを設け、常に非水性洗浄液を流出させず回収再利用し、水を全く使用しないで水洗便器の機能を持ったことを特徴とする。
【０００７】
上記課題を解決するための本発明の請求項３は、前記請求項２において、前記便器が大便器である場合には、前記液傾斜貯留部には、下端部より上端部に大便を移送する大便移送手段が設けられていることを特徴とする。
【０００８】
上記課題を解決するための本発明の請求項４は、前記請求項２において、前記非水性洗浄液には、溶液の臭いを防ぐ芳香剤及び汚れをカモフラージュするための着色剤が混入されていることを特徴とする。
【０００９】
上記課題を解決するための本発明の請求項５は、前記請求項２において、用便する人を検知して前記ポンプを作動させるセンサーを設けたことを特徴とする。
【発明の効果】
【００１０】
非水性洗浄液貯留部内の非水性洗浄液は、ポンプで汲み上げて液供給パイプより便器に供給して洗浄する。この洗浄に使用された非水性洗浄液は、小便より比重が軽くて小便より分離されるので、便貯留部より上方の非水性洗浄液貯留部に溜まり、何回でも繰り返し使用でき、洗浄水を全く使用しなくても衛生的に便器を使用することができる。また便貯留部に溜まった便の匂いは、非水性洗浄液貯留部の非水性洗浄液で遮断するので、匂いが逆流することがない。
【発明を実施するための最良の形態】
【００１１】
本発明の便器装置の第１実施の形態を図１により説明する。本実施の形態は、小便器１０に適用した場合を示す。小便器１０の排便穴１１の下端には、液貯留管２０が接続されており、液貯留管２０は排出管３０に接続されている。排便穴１１の下端部と液貯留管２０の入口端部、液貯留管２０の出口端部と排出管３０の入口端部は、それぞれに形成されたフランジ部で結合されている。
【００１２】
液貯留管２０は、下方に伸びた液下方貯留部２１と、この液下方貯留部２１より上方に伸びた液傾斜貯留部２２とが少なくとも形成され、この液傾斜貯留部２２からは下方に伸びた継手部２３が形成されている。ここで、液傾斜貯留部２２の内部の上端部２４のレベルは、排便穴１１の上端部１２のレベルより低く形成されており、前記上端部１２のレベルから前記上端部２４のレベルまでの排便穴１１及び液下方貯留部２１の範囲の部分は、後記する非水性洗浄液４０を貯留する非水性洗浄液貯留部４１となっている。前記上端部２４のレベルから液貯留管２０の内部の下端部２５のレベルまでの範囲の部分は、小便４２を貯留する便貯留部４３となっている。
【００１３】
液貯留管２０の非水性洗浄液貯留部４１のほぼ中間部には、小便器１０の上方部に伸びて該小便器１０に非水性洗浄液４０を供給する液供給パイプ５０が配設されており、液供給パイプ５０の途中には、非水性洗浄液貯留部４１に貯留された非水性洗浄液４０を汲み上げるポンプ５１が接続されている。また小便をする人を感知するためのセンサー５２が小便器１０の近傍に配設されている。そして、センサー５２が人を感知し、その人が小便を開始してから後に小便器１０より離れるまでポンプ５１は作動し続け、小便が小便器１０に付着するのを防ぐ。
【００１４】
次に作用について説明する。まず、最初に水を小便器１０に入れると、この水は便貯留部４３に貯留される。次に水より比重が軽く揮発性の低い油等の非水性洗浄液４０を小便器１０の上端部１２までになるように小便器１０に入れる。これで使用状態になる。
【００１５】
小便器１０に小便すると、小便は非水性洗浄液貯留部４１に貯留された非水性洗浄液４０より比重が重いので便貯留部４３に沈み、便貯留部４３に貯留された水及び余分な小便は排出管３０に排出され、便貯留部４３は残りの小便が貯留される。ここで、用を足す人が小便器１０に近づくとセンサー５２が感知し、用を足し始め（小便を開始）から小便器１０より離れるまで、センサー５２よりポンプ５１を作動させる信号が出力される。ポンプ５１が作動すると、非水性洗浄液貯留部４１内の非水性洗浄液４０を汲み上げて液供給パイプ５０の排出口より小便器１０の上部から下部に非水性洗浄液４０が流れ、小便器１０を洗浄しつつ小便が小便器１０に付着するのを防ぐと共に小便を洗い流す。
【００１６】
このようにして洗浄に使用された非水性洗浄液４０は、小便より比重が軽くて小便より分離されるので、便貯留部４３より上方の非水性洗浄液貯留部４１に溜まり何回でも繰り返し使用でき、洗浄水を全く使用しなくても衛生的に小便器１０を使用することができる。また便貯留部４３に溜まった小便４２の匂いは、非水性洗浄液貯留部４１の非水性洗浄液４０で遮断するので、匂いが逆流することがない。
【００１７】
例えば、便貯留部４３に５００ｍｌの小便が溜まるように、非水性洗浄液貯留部４１に２００ｍｌの非水性洗浄液４０が溜まるように液貯留管２０を形成し、非水性洗浄液貯留部４１の約１／２以下の所に液供給パイプ５０の吸い込み口を接続した。そして、非水性洗浄液貯留部４１の半分の約１００ｍｌの非水性洗浄液４０を小便器１０の上部より下部へ流すようにし、残りの半分の約１００ｍｌの非水性洗浄液４０が非水性洗浄液貯留部４１に残留するようにしたところ、非常に良好な結果が得られた。なお、上記実施の形態においては、用を足す人をセンサー５２で検知してポンプ５１を作動させるようにしたが、センサー５２に代えてボタンを設け、ボタンを押すことによってポンプ５１が一定時間作動するようにしてもよい。
【００１８】
本発明の便器装置の第２実施の形態を図２により説明する。本実施の形態は、大便器６０に適用した場合を示す。なお、前記第１の実施の形態と同じ又は相当部材には同一符号を付し、その詳細な説明は省略する。本実施の形態は、前記実施の形態（図１）における小便器１０が大便器６０の場合であり、基本的には前記実施の形態と同じ構成よりなっている。
【００１９】
大便器６０の排便穴６１の下端には、前記の実施の形態と同様に液貯留管２０を介して排出管３０が接続されている。排便穴６１の下端部と液貯留管２０の入口端部、液貯留管２０の出口端部と排出管３０の入口端部は、それぞれに形成されたフランジ部で結合されている。しかし、前記実施の形態は、液貯留管２０には小便及び汚れ等が溜まるのみであるので、定期的に清掃すれば何ら問題は生じない。しかし、大便器６０である場合には、液貯留管２０には小便のみでなく大便が溜まるので、この大便を排出するための手段が必要となる。
【００２０】
まず、前記実施の形態とほぼ同じ構成部分について説明する。液貯留管２０は、下方に伸びた液下方貯留部２１と、この液下方貯留部２１より上方に伸びた液傾斜貯留部２２とが少なくとも形成され、この液傾斜貯留部２２からは下方に伸びた継手部２３が形成されている。ここで、液傾斜貯留部２２の内部の上端部２４のレベルは、排便穴６１の液貯留部レベル６２より低く形成されており、液貯留部レベル６２から前記上端部２４のレベルまでの排便穴１１及び液下方貯留部２１の範囲の部分は、非水性洗浄液４０を貯留する非水性洗浄液貯留部４１となっている。前記上端部２４のレベルから液貯留管２０の内部の下端部２５のレベルまでの範囲の部分は、大小便４４を貯留する便貯留部４３となっている。ここで、前記実施の形態と異なる点は、液下方貯留部２１及び液傾斜貯留部２２に貯留された大便を排出管３０に排出必要があるので、液傾斜貯留部２２はゆるやかな傾斜部となっており、この液傾斜貯留部２２には後記する大便移送手段７０が配設されている。
【００２１】
液貯留管２０の非水性洗浄液貯留部４１のほぼ中間部には、大便器６０の上方部に伸びて該大便器６０に非水性洗浄液４０を供給する液供給パイプ５０が配設されており、液供給パイプ５０の途中には、非水性洗浄液貯留部４１に貯留された非水性洗浄液４０を汲み上げるポンプ５１が接続されている。また用便をする人を感知するためのセンサー５２が大便器６０の近傍に配設されている。そして、センサー５２が人を感知して大便移送手段７０が作動すると共に用便中は大便器６０より人が離れるまで、ポンプ５１は作動し続け小便及び大便の大便器６０への不着を防ぎ、小便及び大便を洗浄排出する。
【００２２】
次に前記大便移送手段７０の構成について説明する。液傾斜貯留部２２の下端部２５から上端部２４に伸びて螺旋状のスクリュー７１が配設されており、このスクリュー７１は液貯留管２０外に配設されたモータ７２によって駆動される。なお、モータ７２の出力軸と液貯留管２０部にはシールされた軸受７３が設けられている。
【００２３】
次に作用について説明する。まず、最初に水を大便器６０に入れると、この水は便貯留部４３に貯留される。次に水より比重が軽く揮発性の低い油等の非水性洗浄液４０を大便器６０の液貯留部レベル６２までになるように大便器６０に入れる。これで使用状態になる。
【００２４】
用を足す人が大便器６０に近づくとセンサー５２が感知し、非水性洗浄液４０の循環用のポンプ５１及びモータ７２が作動する。大便器６０に小便又は大便すると、大便器６０に付着しないように非水性洗浄液４０で洗浄され排出穴６１へ排出される。小便又は大便は非水性洗浄液４０より比重が重いので、便貯留部４３の水及び余分な小便又は大便は排出管３０に排出される。液貯留管２０の底部に落下した大便は、スクリュー７１の回転によって液傾斜貯留部２２の上端部２４まで移送されて排出管３０に落下される。便貯留部４３には残りの小便又は大便の粒体が残り貯留される。ここで、人が用を開始（小便又は大便を開始）してから人が大便器６０より離れるまで、センサー５２よりポンプ５１を作動させる信号が出力される。ポンプ５１が作動すると、非水性洗浄液貯留部４１内の非水性洗浄液４０を汲み上げて液供給パイプ５０の排出口より大便器６０の上部から下部に非水性洗浄液４０が流れ、大便器６０に小便又は大便の不着を防ぎを洗浄しながら小便及び大便を排出する。
【００２５】
このようにして洗浄に使用された非水性洗浄液４０は、小便又は大便より比重が軽くて小便又は大便より分離されるので、便貯留部４３より上方の非水性洗浄液貯留部４１に溜まり何回でも繰り返し使用でき、洗浄水を全く使用しなくても衛生的に大便器６０を使用することができる。また便貯留部４３に溜まった小大便４４の匂いは、非水性洗浄液貯留部４１の非水性洗浄液４０で遮断するので、匂いが逆流することがない。予め投入する水溶液及び定期的に追加する水溶液に大便分解酵素を含ませ、また液貯留管２０の内部をテフロン（登録商標）でコーティングすることにより、大便による液貯留管２０の詰まりを防ぐことができる。当然、本実施の形態の場合には、トイレットペーパーは生理用品と同様に大便器６０に流さなく回収容器に入れるようにする。トイレットペーパーを大便器６０に流さない国としてはブラジルがあり、生活習慣上、慣れれば問題はない。
【００２６】
例えば、便貯留部４３に１，０００ｍｌの小便又は大便が溜まるように、非水性洗浄液貯留部４１に３，０００ｍｌの非水性洗浄液４０が溜まるように液貯留管２０を形成し、非水性洗浄液貯留部４１の約１／２以下の所に液供給パイプ５０の吸い込み口を接続した。そして、非水性洗浄液貯留部４１の半分の約１，５００ｍｌの非水性洗浄液４０を大便器６０の上部より下部へ流すようにし、残りの半分の約１，５００ｍｌの非水性洗浄液４０が非水性洗浄液貯留部４１に残留するようにしたところ、非常に良好な結果が得られた。なお、上記実施の形態においては、用を足す人をセンサー５２で検知してポンプ５１を作動させるようにしたが、センサー５２に代えてボタンを設け、ボタンを押すことによってポンプ５１及びモータ７２が一定時間作動するようにしてもよい。
【００２７】
なお、小便器１０又は大便器６０の使用頻度により異なるが、非水性洗浄液４０の費用及び劣化のため、定期的に非水性洗浄液４０を補充又は入替える必要があることは言うまでもない。しかし、その費用は非常に微々たるものである。お尻を洗浄するウォシュレットを取り付けてもよい。しかし、この場合は水は少量で済む。
【００２８】
上記各実施の形態で使用する非水性洗浄液４０には、溶液の臭いを防ぐ芳香剤及び汚れをカモフラージュするための着色剤を混入して使用する。非水性洗浄液４０としては、例えば新日本石油株式会社の製品名「ジェネシモーター・マルチグレードエンジン油」は、揮発性、無臭性、酸化劣化し難く低粘土であり好ましい。
【００２９】
従って、トイレで水の使用の無駄を無くし、水不足の場合又は水不足の地域でもトイレの使用制限を解消することができる。更に日常的に水資源を節約でき、その水資源の製造に係わる費用の節約及び水使用のコストを大幅に削減できる。まは建築物を建設するに当り、トイレへの上水施設工事を削減できるので、多大なる建設費の削減も可能となる。
【図面の簡単な説明】
【００３０】
【図１】本発明の便器装置を小便器に適用した場合の一実施の形態を一部断面で示す説明図である。
【図２】本発明の便器装置を大便器に適用した場合の一実施の形態を一部断面で示す説明図である。
【符号の説明】
【００３１】
１０    小便器
１１    排便穴
１２    入口部
２０    液貯留管
２１    液下方貯留部
２２    液傾斜貯留部
２４    上端部
２５    下端部
３０    排出管
４０    非水性洗浄液
４１    非水性洗浄液貯留部
４２    小便
４３    便貯留部
４４    大小便
５１    ポンプ
５２    センサー
６０    大便器
６１    排便穴
６２    液貯留部レベル
７０    大便移送手段
７１    スクリュー
７２    モータ
【図１】
2005282006.tif 000003
【図２】
2005282006.tif 000004